(57)【要約】【課題】操作の利便性を向上させることができる画像処理装置を提供する。【解決手段】画像処理装置１は、コピーを簡単な操作で実行する簡単操作モード機能を有し、簡単操作モードを選択した場合に簡単操作モードでの操作に利用される操作画面６１が表示されるタッチパネル４３と、タッチパネル４３外に設けられたハードキーであり、コピージョブの実行を命令する第１のスタートキー４９と、操作画面６１に設けられたソフトキーであり、簡単操作モードでコピージョブの実行を命令する第２のスタートキー６３と、を備える。【選択図】図３
2009177526.tif 000002
【特許請求の範囲】
【請求項１】
ファクシミリ、コピー及びスキャナの少なくともいずれか一つのジョブを実行する画像処理装置であって、
前記ジョブを簡単な操作で実行する簡単操作モードを選択するモード選択キーと、
前記モード選択キーにより前記簡単操作モードを選択した場合に、前記簡単操作モードでの操作に利用される操作画面が表示されるタッチパネルと、
前記タッチパネル外に設けられたハードキーであり、前記ジョブの実行を命令する第１のスタートキーと、
前記操作画面に設けられたソフトキーであり、前記簡単操作モードで前記ジョブの実行を命令する第２のスタートキーと、を備える
ことを特徴とする画像処理装置。
【請求項２】
前記第２のスタートキーは前記操作画面の右上側に配置されている
ことを特徴とする請求項１に記載の画像処理装置。
【請求項３】
前記簡単操作モードはコピーを簡単な操作で実行する簡単コピーモードであり、
前記操作画面に含まれるキーは、前記第２のスタートキー及びコピー部数を設定するキーのみである
ことを特徴とする請求項１又は２に記載の画像処理装置。
【請求項４】
前記簡単操作モードにおいて、前記第１及び第２のスタートキーはいずれも有効である
ことを特徴とする請求項１〜３のいずれか一項に記載の画像処理装置。
【発明の詳細な説明】
【技術分野】
【０００１】
本発明は、例えば複合機のような画像処理装置に関する。
【背景技術】
【０００２】
スタートキーをタッチパネルに設けることにより、操作の利便性を向上させたコピー機が提案されている（例えば特許文献１参照）。
【特許文献１】特開平６−８５７７号公報
【発明の開示】
【発明が解決しようとする課題】
【０００３】
本発明の目的は、操作の利便性を向上させることができる画像処理装置を提供することである。
【課題を解決するための手段】
【０００４】
本発明は、ファクシミリ、コピー及びスキャナの少なくともいずれか一つのジョブを実行する画像処理装置であって、前記ジョブを簡単な操作で実行する簡単操作モードを選択するモード選択キーと、前記モード選択キーにより前記簡単操作モードを選択した場合に、前記簡単操作モードでの操作に利用される操作画面が表示されるタッチパネルと、前記タッチパネル外に設けられたハードキーであり、前記ジョブの実行を命令する第１のスタートキーと、前記操作画面に設けられたソフトキーであり、前記簡単操作モードで前記ジョブの実行を命令する第２のスタートキーと、を備える。
【０００５】
本発明に係る画像処理装置において、前記第２のスタートキーは前記操作画面の右上側に配置されている、ようにすることができる。
【０００６】
これによれば、各種設定キーの操作中に右手首付近が第２のスタートキーに誤って触れてしまうことを防止することができる。
【０００７】
本発明に係る画像処理装置において、前記簡単操作モードはコピーを簡単な操作で実行する簡単コピーモードであり、前記操作画面に含まれるキーは、前記第２のスタートキー及びコピー部数を設定するキーのみである、ようにすることができる。
【０００８】
これによれば、コピーの操作に用いるキーを最小限にしているので、操作が苦手なユーザでも操作に迷わないようにすることができる。
【０００９】
本発明に係る画像処理装置において、前記簡単操作モードにおいて、前記第１及び第２のスタートキーはいずれも有効である、ようにすることができる。
【００１０】
これによれば、簡単操作モードでは、第１及び第２のスタートキーのいずれを操作してもジョブを実行できるので、操作の利便性を向上させることができる。
【発明の効果】
【００１１】
本発明に係る画像処理装置によれば、ハードキーからなる第１のスタートキーと別に、簡単操作モードでの操作画面にそのモードでのスタートキーとなる第２のスタートキーを設けているので、簡単操作モードでの操作の利便性を向上させることができる。
【発明を実施するための最良の形態】
【００１２】
本発明の実施形態について図面を用いて説明する。図１は、本実施形態に係る画像処理装置１の構成を示すブロック図である。画像処理装置１は、ファクシミリ、コピー、スキャナ及びプリンタのジョブを実行することができる複合機である。画像処理装置１としては、複合機以外に、ファクシミリ、コピー及びスキャナの少なくともいずれか一つのジョブを実行する機器でもよい（例えばコピー専用機）。
【００１３】
画像処理装置１は、制御部３、画像読取部５、画像記録部７、表示部９、操作部１１、モデム１３、ＮＣＵ１５、ＲＯＭ１９、ＲＡＭ２１、画像メモリ２３、ハードディスク２５、コーデック２７、ＬＡＮインターフェース２９等が相互にバス３３で接続された構成を有する。制御部３は、例えばＣＰＵにより実現されており、画像処理装置１を構成する上記ハードウェアを制御すると共に画像処理装置１の動作に必要なソフトウェアを実行する。
【００１４】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ機からの画像データを画像に戻し、この画像が記録された用紙を出力する。
【００１５】
表示部９は、画像処理装置１の動作状態、各種設定内容等を表示する。表示部９は、ＬＣＤ、ＣＲＴ等で実現される。操作部１１は、画像処理装置１の操作に必要なキー（テンキー、スタートキー、リセットキー、各種のファンクションキー等）を備える。
【００１６】
モデム１３は、通常のファクシミリ通信用のファクシミリモデムの機能を有する。また、モデム１３は、ＮＣＵ１５と直接に接続されている。ＮＣＵ１５は、公衆電話回線１７を閉結及び開放する機能の他に、通信する相手方の電話番号に応じたダイヤルパルスを送出する機能及び着信を検出する機能を有する。また、ＮＣＵ１５は、モデム１３を必要に応じて公衆電話回線１７に接続する。
【００１７】
ＲＯＭ１９は、フラッシュメモリ等により実現されており、画像処理装置１の動作に必要なソフトウェアを記憶している。ＲＡＭ２１は、ＳＲＡＭ、ＤＲＡＭ等により実現されている。ＲＡＭ２１は、ソフトウェアの実行時に発生するデータの一時的な記憶及びアプリケーションソフトの記憶等に利用される。    
【００１８】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。画像処理装置１ではファクシミリの送信予約情報や通信履歴に、通信対象となる画像を含めている。この画像を形成するのにハードディスク２５に記憶されている上記画像データを利用する。
【００１９】
コーデック２７は、画像データを符号化圧縮すると共に符号化圧縮されている画像データを復号する。ＬＡＮインターフェース２９は、画像処理装置１がＬＡＮ３１と通信可能に接続するインターフェースである。
【００２０】
図２は、画像処理装置１に備えられる操作パネル４１の一例の平面図である。操作パネル４１は、図１の表示部９及び操作部１１として機能する。操作パネル４１は、タッチパネル４３及びタッチパネル４３外に設けられた各種のハードキー（モード選択キー４５、テンキー４７、第１のスタートキー４９、クリアキー５１、リセットキー５３、割込みキー５５等）を備える。
【００２１】
タッチパネル４３のサイズは大型である（例えば８．５インチ）。各キーは、通常の複合機に備えられるそれらの名称のキーと同様の目的で使用される。例えば、第１のスタートキー４９は、コピー、ファクシミリ及びスキャナのジョブの実行を命令するキーである。
【００２２】
ここで、ハードキーとは操作パネル４１に取り付けられたキーのことである。これに対して後で述べるようにソフトウェアによりタッチパネル４３に表示される操作画面に設けられるキーをソフトキーと称する。
【００２３】
本実施形態に係る画像処理装置１は、簡単操作モードと称する機能を有する。簡単操作モードでは、コピー等で利用できる各種設定を基本的な設定に制限することにより、コピー等を簡単な操作で実行できるようにしている。コピー、ファクシミリ、スキャナのそれぞれのジョブについて簡単操作モードを利用することができる。なお、簡単操作モードと異なり、コピー等で利用できる各種設定を基本的な設定に制限せずに、各種設定を利用できるようにした操作モードを、本明細書では通常操作モードを称する。
【００２４】
簡単操作モードは、「簡単操作」のモード選択キー４５を押すことによって選択することができる。例えば、コピーの簡単操作モードを選択するには、「コピー」のモード選択キー４５を押してから「簡単操作」のモード選択キー４５を押す。なお、「簡単操作」のモード選択キー４５を押してから「コピー」のモード選択キー４５を押してもよい。
【００２５】
簡単操作モードが選択された場合、タッチパネル４３には簡単操作モードでの操作に利用される操作画面が表示される。この操作画面について詳細に説明する。図３は、簡単操作モードでの操作画面の第１例を示す図である。タッチパネル４３にはコピーの簡単操作モードでの操作画面６１が表示されている。
【００２６】
操作画面６１には、各種のソフトキー（例えば第２のスタートキー６３、設定キー６５，６７，６９）及びコピー部数の表示欄７１等が設けられている。第２のスタートキー６３は、コピーの簡単操作モードにおいてコピージョブの実行を命令するキーである。
【００２７】
簡単操作モードでは通常操作モードに比べて各種の設定キーの数が少なくされている。設定キー６５は、コピーの部数を設定する場合に使用するキーである。「＋」の設定キー６５を押すことにより、表示欄７１に表示される数字が一つずつ大きくなる。これに対して表示欄７１に「２」以上の数字が表示された状態で「−」の設定キー６５を押すことにより、表示欄７１に表示される数字が一つずつ小さくなる（「１」が最小値）。デフォルトではコピー部数が１部なので表示欄７１に「１」が表示される。
【００２８】
両面コピーをする場合、設定キー６７を使用する。「オン」の設定キー６７を押すことにより、両面コピーのジョブが実行される。デフォルトでは「オフ」に設定されている。簡単操作モードでの両面コピーは、原稿の両面を記録用紙の両面にコピーするものである。これ以外の両面コピーをする場合には、通常操作モードに切り替える。
【００２９】
設定キー６９は拡大縮小コピーをする場合に押すキーである。簡単操作モードでは拡大縮小の値を任意に設定できず、設定キー６９で示す拡大縮小コピーだけを実行することができる。
【００３０】
以上説明したように本実施形態に係る画像処理装置１によれば、ハードキーからなる第１のスタートキー４９と別に、コピーの簡単操作モードでの操作画面６１にそのモードでのスタートキーとなる第２のスタートキー６３を設けている。このため、ユーザはタッチパネル４３の操作だけでコピーを行うことができるので、簡単操作モードでのコピー操作の利便性を向上させることができる。
【００３１】
なお、本実施形態では簡単操作モードにおいて、図２に示す第１のスタートキー４９を押しても、ジョブが実行されるようにしている。すなわち、簡単操作モードにおいて、第１のスタートキー４９及び第２のスタートキー６３はいずれも有効にされている。これにより、簡単操作モードでは、第１のスタートキー４９及び第２のスタートキー６３のいずれを操作してもジョブを実行できるので、操作の利便性を向上させることができる。
【００３２】
図４は、簡単操作モードでの操作画面の第２例を示す図である。図４のタッチパネル４３には、コピーの簡単操作モードでの操作画面８１が表示されている。図３の操作画面６１と異なるのは、第２のスタートキー６３を操作画面８１の右上側に配置し、これに伴い設定キー６５及び表示欄７１を右下側に移した点である。
【００３３】
図３に示すように第２のスタートキー６３が操作画面６１の右下側に設けられている場合、設定キー６５，６７，６９の操作中に右手首付近が誤って第２のスタートキー６３に触れることにより、コピージョブが実行されてしまうおそれがある。第２のスタートキー６３は比較的大きいので、誤って触れてしまう可能性が高い。
【００３４】
これに対して図４に示す操作画面８１は、第２のスタートキー６３を画面の右上側に配置している。したがって、設定キー６５，６７，６９の操作中に右手首付近が誤って第２のスタートキー６３に触れることを防止することができる。
【００３５】
図５は、簡単操作モードでの操作画面の第３例を示す図である。図５のタッチパネル４３には、コピーの簡単操作モードでの操作画面９１が表示されている。操作画面９１には第２のスタートキー６３、設定キー６５及び表示欄７１が設けられている。操作画面９１に含まれるキーは、第２のスタートキー６３及びコピー部数を設定する設定キー６５のみにされている。したがって、操作画面９１によれば、コピー操作に用いるキーを最小限にしているので、コピー操作が苦手なユーザでも迷わずに操作することができる。
【００３６】
次に、ファクシミリの簡単操作モードでの操作画面について説明する。図６は、ファクシミリの簡単操作モードでの操作画面１０１の一例を示す図である。操作画面１０１には、各種のソフトキー（設定キー１０３、テンキー１０５、第２のスタートキー１０７、クリアキー１０９、リセットキー１１１、割込みキー１１３、タブ１１５等）及び番号入力欄１１７等が設けられている。第２のスタートキー１０７を押すことにより、ファクシミリの簡単操作モードにおいて、ファクシミリのジョブを実行することができる。
【００３７】
番号入力欄１１７には、テンキー１０５で入力されたファクシミリ番号が表示される。設定キー１０３は、図示しない通常操作モードでの操作画面に含まれる設定キーに比べて数が少なくされている。また、設定キー１０３の名称は、操作に不慣れなユーザでも容易に理解できる内容にされている。
【００３８】
簡単操作モードにおいて、宛先を指定する手段としてテンキー１０５の他に宛先表がある。宛先表とテンキー１０５の切り替えにはタブ１１５を用いる。宛先表には短縮ダイヤル登録された宛先が表示され、宛先を押すことにより、ワンタッチで宛先を指定することができる。宛先表を有する操作画面にも第２のスタートキー１０７が設けられている。
【００３９】
ファクシミリの簡単操作モードでの操作画面１０１においても、タッチパネル４３の操作だけで、ファクシミリのジョブを実行することができ、操作の利便性を向上させることができる。
【００４０】
スキャナの簡単操作モードでの操作画面は、図示しないが、第２のスタートキー及びカラーとモノクロの選択キー等の最小限のキーだけが設けられる。したがって、スキャナの簡単操作モードでも、タッチパネル４３の操作だけで、スキャンのジョブを実行することができ、操作の利便性を向上させることができる。
【図面の簡単な説明】
【００４１】
【図１】本実施形態に係る画像処理装置１の構成を示すブロック図である。
【図２】画像処理装置１に備えられる操作パネル４１の一例の平面図である。
【図３】コピーの簡単操作モードでの操作画面６１の第１例を示す図である。
【図４】コピーの簡単操作モードでの操作画面８１の第２例を示す図である。
【図５】コピーの簡単操作モードでの操作画面９１の第３例を示す図である。
【図６】ファクシミリの簡単操作モードでの操作画面１０１の一例を示す図である。
【符号の説明】
【００４２】
１・・・画像処理装置、３・・・制御部、５・・・画像読取部、７・・・画像記録部、９・・・表示部、１１・・・操作部、１３・・・モデム、１５・・・ＮＣＵ、１７・・・公衆電話回線、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・バス、４１・・・操作パネル、４３・・・タッチパネル、４５・・・モード選択キー、４７・・・テンキー、４９・・・第１のスタートキー、５１・・・クリアキー、５３・・・リセットキー、５５・・・割込みキー、６１・・・操作画面、６３・・・第２のスタートキー、６５，６７，６９・・・設定キー、７１・・・表示欄、８１，９１，１０１・・・操作画面、１０３・・・設定キー、１０５・・・テンキー、１０７・・・第２のスタートキー、１０９・・・クリアキー、１１１・・・リセットキー、１１３・・・割込みキー、１１５・・・タブ、１１７・・・番号入力欄
【図１】
2009177526.tif 000003
【図２】
2009177526.tif 000004
【図３】
2009177526.tif 000005
【図４】
2009177526.tif 000006
【図５】
2009177526.tif 000007
【図６】
2009177526.tif 000008